(57)【要約】臨床設定中の蛍光配列（１０３）の読み取りは、配列の暗視野照明を用いて構成した読み取り器（１１０）と、蛍光配列寸法（Ｄｏ）と同級の大きさの撮像寸法（Ｄｉ）、好ましくは縮減された画像を用いたソリッドステートセンサ配列（１４６）上への配列画像の写像とを用いて可能となる。高輝度照明を用い、その非一様性は配列の撮像期間中に検出される配列自体の輝度較正特徴（１６４）を用いた正規化により補償する。好ましくは交通信号灯に用いるような高輝度発光ダイオード（１２２，１３２，４０２，４０４）を配列の励起に用い、好ましくはこの励起は固体内部反射均質化器（１３０）を介して配列に導入する。中程度の被写界深度収集及び撮像光学系が、０．３０〜０．６０の範囲、好ましくは０．４〜０．５５の範囲のＮＡでもって実質的な集光を可能にする。得られる比較的大きな被写界深度は一部の好都合なケースでは、撮像対象スポットを越えて進行しがちで或いはノイズ蛍光を生成しかねない光を吸収することで補償され、例えば基板（３０２）、好ましくは配列が横たわる極薄基板とより肉厚のガラス又は他の剛性支持体（３０６）との間に介挿した不透明金属酸化物被覆（３０４）により吸収を生ずる。臨床目的に合わせ、配列は蛋白質に適した１０００スポット未満からなり、一例では、５００スポット未満の配列とする。比較的大きなスポット寸法を用い、例えば少なくとも８０又は１００ミクロン台の直径、或いは好ましくはそれを上回り、１５０又は３００ミクロンのスポットを用いる。ソリッドステート検出器上の少なくとも５０画素に対するこの種のスポットの解像度によって適切なビニングと高精度成果に通ずる他の操作が可能になる。癌診断等の分析及び診断の新規方法は、疾患、例えば卵巣癌に関連するマーカ群の検出に読み取り器を用いる。【特許請求の範囲】
【請求項１】
平坦な基板（３０２）上にある特徴の二次元配列（１０３）を読み取る臨床目的に適し、前記特徴は感光マーカを担持し、該マーカが励起時に発光可能である、配列読み取り器（１１０）であって、
前記基板上に二次元配列で分布する複数の感光マーカを同時に励起する照明システム（１２０）と、
前記基板上の前記特徴からの発光に対する視野を有する画像収集記録システム（１４０）と、を備え、
前記照明システム（１２０）は、前記基板の前記平面に対して約２０°乃至５０°の間の角度（θ）で配設した照明路（Ｐ）に沿って、励起波長の光で二次元配列（１０３）を覆い尽くすよう配置した光源を備え、
前記画像収集記録システム（１４０）は、前記配列を担持する前記基板（１０２）の平面に実質的に直角の画像取得軸（１４１）を有し、感光素子のソリッドステート配列（図４の２０３）、例えば、電荷結合素子（ＣＣＤ）或いはＣＭＯＳ配列を用いており、前記画像収集記録システムは、前記配列の大きさＤｏと同級の、例えば、約２５％までの拡大或いは７５％までの縮減した大きさ（Ｄｃ）のソリッドステート配列に特徴配列の画像を適用するよう構成し配置している二次元センサ（１４６）を有しており、前記画像収集記録システム（１４０）は、臨床精度を持ちかつ前記配列の転移を伴なうことなく前記励起された二次元配列から前記蛍光画像の記録を可能にする中程度の開口数ＮＡを有する、配列読み取り器。
【請求項２】
前記画像収集及び記録システム（１４０）は、前記基板（１０２）又はその支持体から少なくとも５ｍｍ、好ましくは少なくとも１０ｍｍ（寸法ｈ）離間してその最近接部品を有し、前記部品は前記基板上の前記二次元配列への前記照明路（Ｐ）用の前記部品の下側に空間をもたらすよう構成し配置した、請求項１記載の配列読み取り器。
【請求項３】
前記画像収集記録システムは、ＮＡ＝０．３〜ＮＡ＝０．６０の間の有効開口を有し、好適な前記ＮＡ値は、約４．０〜５．５の間にある、請求項１または２に記載の配列読み取り器。
【請求項４】
前記画像収集記録システム（１４０）は、約５０ｍｍ2〜３００ｍｍ2の間の領域の基板上に視野（図１と図７ＢのＶ）を有する、請求項１ないし３のうちいずれか１項に記載の配列読み取り器。
【請求項５】
前記照明システムは、１以上の発光ダイオード（１２２）を備える、請求項１ないし４のうちいずれか１項に記載の配列読み取り器。
【請求項６】
３０ｍＷ／ｃｍ2を超える電流密度の基板（１０２）上の二次元配列（１０３）上に、励起照明をもたらすよう構成し配置した、請求項５に記載の照明システム。
【請求項７】
前記画像収集記録システム（１４０）は、前記照明システムに協働的に関連付けられて前記二次元配列全体に約１５ｍＪ／ｃｍ2を上回って前記基板に一定のフルエンスの励起放射を生成するに十分な露光をもたらすタイマを備える、請求項６または７に記載の配列読み取り器。
【請求項８】
前記配列読み取り器の前記視野（Ｖ）は、１０ｍｍ以上の直径（Ｄｏ）を有する、請求項１ないし７のうちいずれか１項に記載の配列読み取り器。
【請求項９】
前記特徴配列のスポット（１６６，２０２）は、前記ソリッドステート配列（２０３）の少なくとも５０画素素子、例えば、ＣＣＤ或いはＣＭＯＳ素子上へ結像させる、請求項１ないし８のうちいずれか１項に記載の配列読み取り器。
【請求項１０】
前記ソリッドステートセンサ配列（２０３）に対し、拡大をしていない視野像を給送するよう構成し配置した、請求項１ないし９のうちいずれか１項に記載の配列読み取り器。
【請求項１１】
前記ソリッドステートセンサ配列（２０３）に対し、約３０％〜５０％の間に縮減した視野像を給送するよう構成し配置した、請求項１ないし１０のうちいずれか１項に記載の配列読み取り器。
【請求項１２】
各直径が、少なくとも約８０ミクロンで、好ましくは少なくとも約１００ミクロンの直径の少なくとも１００スポット（２０２）の二次元配列（１０３）を撮像するよう構成し配置した、請求項１ないし１１のうちいずれか１項に記載の配列読み取り器。
【請求項１３】
一回の撮像間隔中に、各３００ミクロンの直径の少なくとも１００スポット又は各１５０ミクロンの直径の少なくとも４００スポットの配列の画像を生成するよう構成し配置した、請求項１ないし１２のうちいずれか１項に記載の配列読み取り器。
【請求項１４】
支持本体（３０６）が担持する基板層（３０２）を備える配列用の担体（１０２）を組み合わせて、前記画像収集記録システム（１４０）を前記特徴配列と同じ側に前記基板に常駐させ、前記照明の前記路（Ｐ）が前記支持本体（３０６）に達する前に前記配列（１０３）に達するようにし、前記担体は前記層を越えて透過する励起放射線を吸収する、請求項１ないし１３のうちいずれか１項に記載の配列読み取り器。
【請求項１５】
前記支持本体（３０６）は、透明な、例えば、ガラスであり、前記基板層（３０２）と前記透明本体（３０６）の間には前記透明本体に進入しがちな励起放射線を実質的に遮断することのできる実質的な不透明な付着層（３０４）を常駐させた、請求項１４記載の配列読み取り器。
【請求項１６】
前記実質的な不透明層（３０４）は、金属酸化物層を含む、請求項１５記載の配列読み取り器。
【請求項１７】
前記基板（３０２）は、透明本体（３０６）が担持する透明層の形をなし、前記画像収集記録システム（１４０）は、前記透明本体と前記配列の同一側に前記透明本体を越えて横たわる、請求項１に記載の配列読み取り器。
【請求項１８】
支持本体上の極薄基板層（３０２）、すなわち厚さ約５ミクロン未満、好ましくは約３ミクロン未満である基板を備える、前記配列（１０３）用の担体（１０２）と組み合わせた、請求項１ないし１７のうちいずれか１項に記載の配列読み取り器。
【請求項１９】
前記配列（１０３）は、ニトロセルロースまたはポリスチレンの透明層を含む基板（３０２）上に配設する、請求項１ないし１８のうちいずれか１項に記載の配列読み取り器。
【請求項２０】
前記基板（３０２）は、少なくともその外部領域まで多孔質のニトロセルロース膜である、請求項１ないし１８のうちいずれか１項に記載の配列読み取り器。
【請求項２１】
前記二次元配列の特徴全体に分布する励起エネルギ基準特徴（１６６）を担持する基板（３０２）と組み合わせて、前記画像収集記録システム（１４０）は、前記個別基準特徴からの検出放射量に基づき個別基準特徴の近傍で検出したデータを正規化する正規化構成（図１０参照）を備える、請求項１ないし２０のうちいずれか１項に記載の配列読み取り器。
【請求項２２】
前記照明システム（１２０）は、それぞれ実質的に異なる波長の少なくとも二つの異なる光源サブシステム（図７Ａの４０２，４１２，４０６、４０４，４１４，４０８）で、それぞれが光路沿いに光を給送する個別光学系と関連し、前記基板への前記サブシステムの光路がそれぞれ異なる軸に沿って横たわる前記サブシステムを備え、前記軸は前記基板周りに離間させた、請求項１ないし２１のうちいずれか１項に記載の配列読み取り器。
【請求項２３】
二つの前記異なる光源サブシステムを備え、その信号路を前記基板（図７Ａ）周りに直径両端に配設した、請求項２２に記載の配列読み取り器。
【請求項２４】
前記照明システムは、それぞれＣｙ３とＣｙ５を励起するよう選択された光源（例えば、ダイオード４０２，４０４）を備え、前記画像収集記録システム（１４０）は、それぞれＣｙ３及びＣｙ５からの放射路を可能にするに適した可変帯域通過フィルタ（図７Ａの４２４，４２４’）、またはＣｙ３，Ｃｙ５の両方の帯域通過放射等の複数の帯域通過放射を可能にするのに適した単一の帯域通過フィルタ（４２４）を備える、請求項１ないし２３のうちいずれか１項に記載の配列読み取り器。
【請求項２５】
前記画像収集記録システム（１４０）は、少なくとも二つの設定間で調整可能であり、前記第１および第２の設定は、６．５ｍｍ×９．０ｍｍ（図８の５０４）の寸法の配列形式、または４．５×１３．５ｍｍの矩形（図８の５０２）内に配置された、それぞれ寸法が４．５ｍｍ×４．５ｍｍの二つの個別小窓を備える配列形式の単一画像を形成するよう個別に構成配置した、請求項１ないし２４のうちいずれか１項に記載の配列読み取り器。
【請求項２６】
前記照明システムは、ダイオード光源（１３２）と、照明場全体の光束密度のばらつきを低減するのに有効な均質化器（図２Ｂの１３０）と、を備える、請求項１ないし２５のうちいずれか１項に記載の配列読み取り器。
【請求項２７】
前記均質化器（１３０）は、細長い透明な内部反射ロッドを備え、これが直線又は湾曲しており、丸形、正方形または長方形の断面を有し、捩るか捩らないかした、請求項２６に記載の配列読み取り器。
【請求項２８】
前記画像収集記録システム（１４０）は、約１０ミクロンまでの解像度の前記ソリッドステート配列（図４の２０３）上で前記画像を解像するよう構成し配置した、請求項１ないし２７のうちいずれか１項に記載の配列読み取り器。
【請求項２９】
前記解像度は、約１２ないし１５ミクロンの間にある、請求項２８に記載の配列読み取り器。
【請求項３０】
前記画像収集記録システム（１４０）は、干渉フィルタ（図７Ａの４２４）を備え、前記フィルタよりも前段にある前記システムの集光光学系（４２２）が前段フィルタと平行に集光光線を案内し、前記撮像光学系（４２２’）は、前記ソリッドステートセンサ（４２０）上の前記フィルタを離れる平行光を撮像する構成とした、請求項１ないし２９のうちいずれか１項に記載の配列読み取り器。
【請求項３１】
２以上の配列を保持する配列支持体と共に用い、前記読み取り器が各配列を独立配列として読み取り処理するよう構成し配置した、請求項１ないし３０のうちいずれか１項に記載の読み取り器。
【請求項３２】
基板上に二次元スポット配列したアミノ酸あるいは核酸の特徴を調製するステップで、好ましくは液体試料をその上にスポット形成し、前記配列全体の特徴が光反応マーカを担持する前記ステップと、前記配列を読み取るように、請求項１ないし３１のうちいずれか１項に記載の読み取り器を用いるステップとを含む、分析を実行する方法。
【請求項３３】
前記分析は、血液由来の蛋白質に基づく、診断免疫分析である、請求項３２に記載の方法。
【請求項３４】
前記免疫分析は、固定化抗体を用いる、抗体捕捉構成からなる、請求項３２に記載の方法。
【請求項３５】
悪性癌を検出または監視するよう設けた、請求項３４に記載の方法。
【請求項３６】
初期診断での卵巣癌の検出又は患者の再発危険の監視に適用する、請求項３５に記載の方法。
【請求項３７】
前記基板は、封止された使い捨て可能な生体カセット（図７Ｂの４）内に配設され、撮像は前記基板に視覚的にアクセスする透明窓を介して実行する、または透明本体が前記生体カセットの側面を形成して前記基板を担持しており、前記基板は極薄ニトロセルロースやポリスチレン層の如く透明であり、前記配列は前記透明本体を介するとともに前記基板を介して前記配列読み取り器が視覚的にアクセスする、請求項３２ないし３６のうちいずれか１項に記載の方法。
【請求項３８】
前記配列は、操作可能な照明輝度全体にそれらの照明に対する発光輝度に略比例する蛍光特性の輝度較正特徴（１６４）を含む基板上の配列を読み取り、配列読み取り器を用いて前記配列の画像の形成と、近傍輝度較正特徴から得られるデータ量に基づき記録配列データ（例えば図４Ｃのスポット１６６）を正規化することを含む、請求項１ないし３１のうちいずれか１項に記載した配列読み取り器を用いる、または請求項３２ないし３７のうちいずれか１項に記載の方法。
【請求項３９】
血液あるいは他の人体構成要素内の既知の蛋白質生体マーカ集合が存在する疾患について蛍光読み取り器を利用した診断方法であって、（１）基板上に異なる試薬の二次元配列（１０３）を配設し、該試薬を前記疾患の診断が可能な前記生体マーカ群の要素を束ねるべく個別特化したステップと、（２）個体の血液或いは人体構成要素内に存在する場合に生体マーカを含む個体の蛍光体標識化血液あるいは人体構成要素摘出体に対し前記配列を露光させるステップと、（３）前記配列を静止させたまま、暗視野照明を用いて蛍光励起波長の光により（たとえば、図１の１２０により）前記二次元配列全体を同時照明することで前記配列を励起するステップと、（４）ソリッドステート配列からなる撮像器の単一フレーム上に前記二次元励起配列全体の蛍光画像を（たとえば、図１の１４０により）捕捉するステップと、（５）（たとえば、図１のコンピュータ１０４により）疾患の存在について前記蛍光画像を分析するステップとを含む、方法。
【請求項４０】
前記二次元配列全体の同時照明ステップは、ダイオード（１２２，１３２，４０２，４０４）またはダイオード群からの励起放射を案内し、少なくとも３０ｍＷ／ｃｍ2の電力密度で前記蛍光体を励起するよう選択した波長の照明を生成することで実施する、請求項３９記載の方法。
【請求項４１】
蛍光輝度基準特徴（１６４）は、前記配列を介して分配され、前記生体マーカからの検出放射は、前記照明に対する前記基準の応答に基づいて前記読み取り器が正規化する、請求項３９または４０に記載の方法。
【請求項４２】
少なくとも５０画素のソリッドステートセンサが、前記配列特徴の画像を表わす、請求項３２ないし４１のうちいずれか１項に記載の方法。
【請求項４３】
前記生物マーカは、抗体に取り付けた、請求項３９ないし４２のうちいずれか１項に記載の方法。
【請求項４４】
前記配列は、卵巣癌の存在を診断するよう選択したタンパク質生物マーカを固定化するよう形成した、請求項３９ないし４３のうちいずれか１項に記載の方法。
【請求項４５】
蛍光体を含む特徴を有する基板上の配列を読み取る方法であって、
前記配列は操作可能な照明輝度全体にそれらの照明に対する発光輝度に略比例する蛍光特性の輝度較正特徴を含み、配列読み取り器を用いた前記配列の画像の形成と、前記配列内の近傍輝度較正特徴からの前記配列の読み取り期間中の記録配列データの正規化と、
を含む、方法。
【請求項４６】
血液あるいは他の人体構成要素内の既知の蛋白質生体マーカ集合が存在する疾患について診断を実行するよう適用され、（１）基板上に異なる試薬の二次元配列を配設し、該試薬を前記疾患の診断が可能な前記生体マーカ群の要素を束ねるべく個別特化したステップで、前記配列に前記輝度較正機能を含ませる前記ステップと、（２）個体の血液あるいは人体構成要素内に存在する場合に生体マーカを含む個体の蛍光体標識化血液あるいは人体構成要素摘出体に対し前記配列を露光させるステップと、（３）前記配列を静止させたまま、暗視野照明を用いて蛍光励起波長の光により二次元配列全体を同時照明することで前記配列を励起するステップと、（４）ソリッドステート配列からなる撮像器の単一フレーム上で前記二次元励起配列全体の蛍光画像を捕捉するステップと、（５）前記配列内の前記較正特徴に基づき前記記録配列データを正規化するステップと、（６）疾患の存在について前記蛍光画像を分析するステップと、を含む、請求項４５記載の方法。
【請求項４７】
前記二次元配列全体を照明し、一つのダイオード或いはダイオード群からの励起放射を案内することで少なくとも３０ｍＷ／ｃｍ2の電力密度で前記蛍光体を励起するよう選択した波長での照明を生成して前記画像を形成する、請求項４５または４６記載の方法。
【請求項４８】
少なくとも５０画素のソリッドステートセンサが、前記配列特徴の画像を表わす、請求項４５ないし４７のうちいずれか１項に記載の方法。
【請求項４９】
前記配列特徴が、抗体を含む診断を実行するのに用いる、請求項３２ないし４８のうちいずれか１項に記載の方法。
【請求項５０】
前記配列特徴は、卵巣癌の存在を診断するよう選択される、請求項４９記載の方法。
【発明の詳細な説明】
【技術分野】
【０００１】
本開示が関する分野は、臨床微細配列技術、たとえば、臨床調査や臨床診断である。
【背景技術】
【０００２】
微細配列技術は、過去十年以上に亙り発展してきた。それは、生体分子、特に核酸やアミノ酸材料の調査に用いられている。有効利用は、ゲノム解明と薬物発見の技術でなされてきた。技術が究極的に発展し、臨床、例えば臨床調査や臨床診断用に現実的用途を可能にすると予測されてきたが、その見通しは程遠いように思われていた。これが単に長期的な希望とされていた理由は、必要な機器の非常な高コストや分析実行に必要な時間や高レベルの経験と手腕が要求されていたからである。
【０００３】
周知の如く、しかるべき成分が存在する場合、微細配列はタグ付け或いはマーカ付けした特徴場或いは異なる分析物スポットを作り出すことで用いられる。マーカ付けは、しばしば放射性同位元素タグによっていたが、材料を処理することができて安全性配慮の不要な簡便さを含む幾つかの理由で蛍光タグが幅広く使用されるようになってきた。一般に、配列の全体画像または関連配列の小集合により分析を表わすことが望ましい。
【発明の開示】
【発明が解決しようとする課題】
【０００４】
蛍光マイクロ配列読み取り器は、配列使用に対する鍵となるものである。読み取り器は、光励起への露光に応答して配列内に精密配置された各特徴における蛍光の存在及び程度を記録する。読み取り器設計に関する様々な構成を熟慮した後に、二三の奏功する技術が受け入れ先を見出した。これらは、多彩な光学系やソフトウェアだけでなく精密でコストのかかる機械的な展開を遍く必要としてきた。一つのケースでは、高速発振走査アームが一つの座標で一度に１画素を読み取る小型レンズを共焦点構成にて移動し、その一方で他方の座標中の配列の画像を、顕微鏡ステージを用いた精密な段階的前進により展開する。（このステージは、ミクロン又はサブミクロン精度の精密な動きを生み出す装置であり、他の構成要素に加え製造に費用がかかる）。この手法では、ソフトウェアを用いて広範な配列の集結画素から画像を収集する。別の技法は、配列の小部分の一連の拡大画像それぞれの採取の間の精密段の移動と、続く小視野画像フレームを併せ電子的に合併すなわち「縫合」して全配列の画像を電子的に生成することで、配列全体の一部の大幅な拡大図を撮像してきた。一つの採取で配列全体を画像処理するソリッドステートアレイセンサを用いる先の提案あるいは考察は、問題点の全体集合の実用的な解決策、すなわち妥当なコストでの高精度かつ高速の動作の同時達成をもたらすことはなかった。時が経つにつれ、また読み取り器の生産量が増えるにつれ、簡潔な設計により奏功するこれらの画像処理システムのコストは数十万もの現米ドルから、一部事例では十万ドルに若干満たないコストまで低減されてきた。しかしながら、量産が読み取り器価格をして臨床使用に魅力的な、たとえば、２万５０００米ドル以下の価格とし得る価格へ近づくことを可能にするであろう時までは、見通しは程遠いように思われていた。
【課題を解決するための手段】
【０００５】
通例、実際の臨床的用途、すなわち、臨床研究や臨床診断や監視が可能な読み取り器が、幾つかの制約を見ながらも特定の組み合わせでもって可能であることが分かっており、他分野で見出された一般に利用可能な構成要素を用いて実装することができる。実施形態は、臨床読み取り器に対する厳しい低コスト要求を相当の高速性と操作の簡単さに対する必要性と共に満足することができ、その一方で、医療用途に必要な高レベルの精度が達成される。
【０００６】
基本的な読み取り器の構造は、暗視野照明、たとえば、２０〜５０度の鋭角で二次元配列に届く光を利用すべきであり、この照明は、ＣＣＤセンサやＣＭＯＳ配列等のソリッドステート検出配列上の二次元撮像に対し、その配列上の写像が生物学的特徴の配列と同級の大きさの尺度となるようにした状態で一致させねばならないことが判っている。撮像は、生体配列平面に対し直角になされ、中程度の開口数（ＮＡ）、好ましくは、ＮＡ＝０．３〜０．６、ここでは、好ましくは、ＮＡ＝０．４〜０．５．５の範囲を有する光学的集光撮像システムを用いて達成される。これらの制約内の実施形態は、配列の構成要素を移動したり縫合したりすることなく、単一フレーム内の配列全体を撮像することができる。好ましくは、説明対象であるさらなる新規改善付き機器内の特徴の協働が、この種の構成、すなわち、その比較的大きな被写界深度の固有の限界を補うことができ、高輝度ダイオード等の好適な比較的廉価な照明を使用したときにその非一様照明を補うことができることが判ろう。得られる装置は、その単純さと精密可動部あるいは高価な光学系の欠如が故に、システムならびに技術を実用的なものとするコストでもって、臨床医に対し利用可能にできる。こうして、実用的な高速臨床撮像は現在でさえ可能になっており、このことから医療や患者介護に対する大きな便益を得ることができる。
【０００７】
本発明の一の態様によれば、平坦な基板上の特徴の二次元配列（１０３）を読み取る臨床目的に適し、前記特徴が感光マーカを担持し、該マーカが励起時に発光可能である配列読み取り器であって、前記基板上に二次元配列で分散する複数の感光マーカを同時に励起する照明システムと、前記基板上の前記特徴からの発光に対する視野を有する画像収集記録システムとを備え、前記照明システムが前記基板の前記平面に対し、約２０°〜５０°の間の角度θで配設した照明路に沿って励起波長の光で二次元配列を覆い尽くすよう配置した光源を備え、前記画像収集記録システムは、前記配列を担持する基板の平面に実質的に直角の画像取得軸を有し、感光素子のソリッドステート配列、たとえば、電荷結合素子（ＣＣＤ）またはＣＭＯＳ配列を用いており、前記画像収集記録システムは、前記配列の大きさと同級、たとえば、約２５％まで拡大または７５％まで縮減した大きさのソリッドステート配列に特徴配列の画像を適用するよう構成し配置してあり、前記画像収集記録システムは、臨床精度をもちかつ前記配列の移動を伴なうことなく前記励起された二次元配列から前記蛍光画像の記録を可能にする中程度の開口数ＮＡを有する。
【０００８】
本発明の本態様の好適な実施形態は、１以上の下記の技術的特徴を有する。
【０００９】
配列読み取り画像収集記録システムは、基板又はその支持体から少なくとも５ｍｍ、好ましくは少なくとも１０ｍｍだけ離間した位置に、その最接近部品を有しており、その部品は、基板上の二次元配列への照明路向けの部品の下側に空間を提供するよう構成し配置する。
【００１０】
画像収集記録システムは、ＮＡ＝０．３〜ＮＡ＝０．６０の間の有効開口を有し、ＮＡの値は、好ましくは、約４．０〜５．５の間にある。
【００１１】
画像収集記録システムは、５０ｍｍ2〜３００ｍｍ2の間の面積の基板上に視野を有する。
【００１２】
照明システムは、１以上の発光ダイオードを備える。
【００１３】
照明システムと特にダイオードを利用するシステムは、３０ｍＷ／ｃｍ2を超える電力密度の基板上に二次元配列に対し励起照明をもたらすよう構成し配置してあり、好ましくは、画像収集記録システムは、基板に二次元配列全体で約１５ｍＪ／ｃｍ2を超す励起放射フルエンスを生成するのに十分な露光をもたらすよう照明システムに協働的に関連付けたタイマを含む。
【００１４】
配列読み取り器は、１０ｍｍ以上の直径の視野を有する。
【００１５】
注目配列の各特徴は、最低５０画素素子のソリッドステート配列、たとえば、ＣＣＤまたはＣＭＯＳ素子上に結像する。（本願明細書に示す好適なケースでは、ソリッドステート配列の画素（すなわち、検出素子）は９ミクロンの寸法に選択してあるが、より大きな視野を撮像する場合は、同じ構成を用い、約４．５ミクロンまで小さくした画素を選択し、画像のより大きな縮減を用いる）。
【００１６】
配列読み取り器は、ソリッドステートセンサに対し拡大していない視野の画像を給送するよう構成し配置してあり、好ましくは、読み取り器は約３０％〜５０％の間で縮減した視野の画像をソリッドステートセンサ配列へ給送するよう構成し配置する。
【００１７】
配列読み取り器は、各直径が少なくとも約８０ミクロン、好ましくは、少なくとも１００ミクロンの直径のスポットを撮像する構成としてある。
【００１８】
配列読み取り器は、一回の撮像期間中に、それぞれ３００ミクロンの直径の少なくとも１００個のスポットまたはそれぞれ１５０ミクロンの直径の少なくとも４００個のスポットの配列の画像を生成するよう構成し配置する。
【００１９】
この配列読み取り器は、支持本体が担持する基板層を備える配列用の担体を組み合わせて、画像収集記録システムを特徴配列と同じ側に基板上に常駐させ、照明路が支持本体に達する前に配列に達するようにし、担体は層を越えて透過する励起放射を吸収し、好ましくは、支持本体は透明な、たとえば、ガラスであり、基板層と透明本体の間には透明本体に進入しがちな励起放射をほぼ遮断することのできるほぼ不透明な付着層が常駐させてあり、ほぼ不透明な層は金属酸化物層からなる。
【００２０】
配列読み取り器には、透明本体が担持する透明層の形をした配列用の担体が組み合わせてあり、画像収集記録システムは、透明本体と同一の配列側に透明本体を越えて横たわっている。
【００２１】
配列読み取り器は、支持本体上の極薄基板層を備える配列用担体が組み合わせてあり、すなわち、基板は５ミクロン未満、好ましくは、約３ミクロン未満の肉厚を有する。
【００２２】
配列読み取り器には、ニトロセルロース或いはポリスチレンの透明層からなる基板上に配列を配設した担体が組み合わせてある。
【００２３】
配列読み取り器には担体が組み合わせてあり、ここでは、基板は少なくともその外側領域で多孔質のニトロセルロース膜としてある。
【００２４】
配列読み取り器には、特徴の二次元配列全体に分布する励起エネルギ基準特徴を担持する基板が組み合わせてあり、画像収集記録システムは、個別基準特徴からの検出放射量に基づき個別基準特徴の近傍で検出したデータを正規化する正規化構成を含む。
【００２５】
配列読み取り器は、それぞれ実質的に異なる波長の少なくとも二つの異なる光源サブシステムを備える照明システムを有し、サブシステムそれぞれが光路沿いに光を給送する個別光学系と関連し、基板へのサブシステムの光路がそれぞれ異なる軸に沿って横たわっており、軸は基板周りに離間させてあり、幾つかの好適な実施形態には、光路を基板の直径両端に配設した二つの異なる光源サブシステムが存在する。
【００２６】
配列読み取り器は、それぞれＣｙ３とＣｙ５を励起するよう選択された光源、画像収集記録システムは、それぞれＣｙ３及びＣｙ５からの放射路を可能にするに適した可変帯域通過フィルタとする、またはＣｙ３，Ｃｙ５の両方の帯域通過放射等の複数の帯域通過放射を可能にするのに適した単一の帯域通過フィルタを備える照明システムを有する。
【００２７】
配列読み取り器の画像収集記録システムは、少なくとも二つの設定間で調整可能であり、第１と第２の設定は、６．５ｍｍ×９．０ｍｍの寸法の配列形式と、４．５×１３．５ｍｍの矩形内に配置したそれぞれ寸法４．５ｍｍ×４．５ｍｍの二つの個別小窓を備える配列形式の単一画像を形成するよう個別に構成し配置する。
【００２８】
配列読み取り器照明システムは、ダイオード光源と、照明場を横切るフラックス密度のばらつきを低減するのに有効な均質化器とを含み、幾つかの実施形態では、均質化器は細長い透明な内部反射ロッドを備え、これが直線又は湾曲しており、丸形又は正方形又は長方形の断面を有し、捩るか捩らないかしてある。
【００２９】
配列読み取り器は、約１０ミクロンまでの解像度でソリッドステートセンサ配列上の画像を解像するよう構成し配置した画像収集記録システムを有し、幾つかの実施形態では、解像度は約１２〜１５ミクロンの間にある。
【００３０】
配列読み取り器は、画像収集記録システムを有し、これが干渉フィルタを含み、フィルタよりも前段にあるシステムの集光光学系がフィルタと平行に集光光線を案内し、撮像光学系がソリッドステートセンサ上のフィルタを離れる平行光を撮像する構成としてある。
【００３１】
配列読み取り器は、１以上の配列を保持する配列支持体と共に用いるように構成し、読み取り器は各配列を独立した配列として読み取って処理するよう構成し配置した。
【００３２】
また、本発明は、好ましくは、液体試料をその上にスポット化することによる基板上へのアミノ酸または核酸特徴の二次元スポット化配列の調製を含み、配列内の特徴が蛍光マーカを担持し、配列の読み取りに先の説明のいずれかの読み取り器を用いて分析を行う方法を含む。
【００３３】
本発明の本態様の好ましい実施形態は、以下の１以上の技術的特徴を有する。
【００３４】
この分析は、血液から採取した蛋白質に基づく診断免疫分析であり、幾つかの実施形態では好ましくは、免疫分析は抗体捕捉構成であり、たとえば、悪性癌を検出または監視する固定化抗体により適応させ、たとえば、初期診断で卵巣癌を検出したり、再発の危険性について患者を監視したりする。
【００３５】
基板は封止した使い捨て可能な生体カセット内に配設してあり、撮像は、基板に視覚的にアクセスする透明窓又は生体カセットの側面を形成する透明本体を介して行ない、基板は透明であり、配列は透明本体を介すると共に基板を介して配列読み取り器により視覚的にアクセスする。
【００３６】
基板上の配列を読み取る説明済み或いは前述のいずれかの方法用の任意の配列読み取り器実施形態について、幾つかの好適な実施形態では、配列は操作可能な照明輝度範囲全体の励起レベルに対する発光輝度に略比例する蛍光特性の輝度較正マーカを含み、システムまたは方法が配列読み取り器を用いる配列の画像の形成と近傍輝度較正マーカから取得した定量データに基づく記録配列データの正規化とを含む。
【００３７】
本発明の他の態様は、血液或いは他の人体構成要素内に既知の蛋白質生体マーカ群が存在する疾患について蛍光読み取り器を利用する診断方法であって、（１）基板上に異なる試薬の二次元配列を供給し、試薬を疾患の診断が可能な生体マーカ群の要素を束ねるべく個別特化したステップと、（２）個々の血液あるいは人体構成要素内に存在する場合に生体マーカを含む個体の蛍光体標識化血液あるいは人体構成要素摘出体に対し配列を露光させるステップと、（３）配列を静止させたまま、暗視野照明を用いて蛍光励起波長の光により二次元配列全体を同時照明することで配列を励起するステップと、（４）ソリッドステート配列からなる撮像器の単一フレーム上の二次元励起配列全体の蛍光画像を捕捉するステップと、（５）（たとえば、コンピュータにより）疾患の存在について蛍光画像を分析するステップとを含む方法である。
【００３８】
本発明の本態様の好ましい実施形態は、１以上の以下の特徴を有する。
【００３９】
本方法は、二次元配列全体を照明するステップは、一つのダイオード或いはダイオード群からの励起放射を案内し、少なくとも３０ｍＷ／ｃｍ2の電力密度で蛍光体を励起するよう選択した波長での照明を生成することで実施することを実行する。
【００４０】
本方法は、蛍光輝度基準特徴配列を介して分布させ、生体マーカからの検出放射を前記照明に対する前記基準の応答に基づき、読み取り器により正規化する仕方で実施する。
【００４１】
本方法は、少なくとも５０画素のソリッドステートセンサが配列の特徴の画像を表わす仕方で実施する。
【００４２】
本方法は、生体マーカを抗体に取り付けて実施する。
【００４３】
本方法は、配列が卵巣癌の存在を診断すべく選択した蛋白質生体マーカを固定化するよう形成する仕方で実施する。
【００４４】
本発明の別の特徴は、蛍光体を含む特徴を有する基板上の配列を読み取る方法であって、配列は操作可能な照明輝度範囲全体にそれらの照明に対する発光輝度において概ね比例する蛍光特性の輝度較正特徴を含み、配列読み取り器を用いる配列の画像の形成と配列内の近傍輝度較正特徴からの配列の読み取り期間中に取得される定量データに基づく記録配列データの正規化とを含む。
【００４５】
本発明の本態様の好適な実施形態は、１以上の以下の特徴を有する。
【００４６】
本方法は、血液あるいは他の人体構成要素内の既知の蛋白質生体マーカ集合が存在する疾患について診断を実行するよう適用され、（１）基板上に異なる試薬の二次元配列を供給し、試薬を疾患の診断が可能な生体マーカ群の要素を束ねるべく個別特化したステップで、配列に輝度較正機能を含ませる前記ステップと、（２）個体の血液あるいは人体構成要素内に存在する場合に生体マーカを含む個体の蛍光体標識化血液あるいは人体構成要素摘出体に対し配列を露光させるステップと、（３）配列を静止させたまま、暗視野照明を用いて蛍光励起波長の光により二次元配列全体を同時照明することで配列を励起するステップと、（４）ソリッドステート配列からなる撮像器の単一フレーム上で二次元励起配列全体の蛍光画像を捕捉するステップと、（５）配列内の較正特徴に基づき記録配列データを正規化するステップと、（６）疾患の存在について蛍光画像を分析するステップとを含む。
【００４７】
本方法は、前記二次元配列全体を照明し、一つのダイオードまたはダイオード群からの励起放射を案内して少なくとも３０ｍＷ／ｃｍ2の電力密度で蛍光体を励起するよう選択した波長での照明を生成することで画像を形成することで実施する。
【００４８】
本方法は、少なくとも５０画素のソリッドステートセンサが配列の特徴の画像を表わす状態で実施する。
【００４９】
本方法は、配列の特徴が抗体を含む診断を実行するのに用い、一つの重要なケースでは、配列の特徴は卵巣癌の存在を診断するよう選択する。
【発明を実施するための最良の形態】
【００５０】
様々な図面中の同様の参照符号は、同様の要素を指すものとする。図１を参照するに、配列読み取りシステム１００は、配列読み取り器１１０と、その幾つかが分析に応じて蛍光材料を担持する特徴１０３（たとえば、アミノ酸や核酸等の生体材料スポット）の二次元配列を担う基板１０２と、配列読み取り器１１０を用いて記録した画像を処理するコンピュータ１０４と、を備える。配列読み取り器１１０は、照明システム１２０と画像収集記録システム１４０を含む。
【００５１】
操作期間中、基板１０２は、ポジショナ１０５を用いて画像収集記録システム１４０の下側に位置決めするが、両者間の距離ｈは、照明システム１２０からの光が二次元配列１０３を覆い尽くすに十分な程度に大きく、好ましくは、ｈは少なくとも５ｍｍ、一般に好ましくは少なくとも１０ｍｍの値を有する。照明光の好適な光源は約３０ｍＷ／ｃｍ2以上の間に出力を有し、好ましくは発光ダイオード（ＬＥＤ）やこの種のダイオードの配列である。基板上の特徴は、照明システム１２０からの選択された波長の光での励起時に幅狭の蛍光スペクトル内で発光することのできる材料を含む。利用可能な蛍光色素を用いることができ、ここではＣｙ３，Ｃｙ５が一般的な選択肢である。
【００５２】
画像収集記録システム１４０は蛍光を集光し、特徴すなわちスポットの生成画像を記録し、光学システムは平坦な視野を生成するよう選択してある。画像取得軸１４１は、基板１０２の平面に対しほぼ直角をなす。照明系１２０は暗視野照明を用い、照明システム１２０からの光を基板１０２の平面に対し約２０°〜５０°の間の角度θを有する光路に沿って案内し、基板１０２で反射された照明光が、画像収集記録システム１４０へ入射しないようにする。スポットが発する蛍光は、視野と集光光量を増大させるべく、中程度の開口数、たとえば、ＮＡ＝０．３０〜０．６０の間、ここでは好適な実施形態では、ＮＡ＝０．４０〜０．５５の間（全て空中）の範囲の撮像光学システム１４２により集光する。撮像光学システム１４２は、センサ１４６から成る二次元配列ソリッドステート検出素子上に配列１０３の画像１４４を投射する。このソリッドステート配列は、生物材料スポット配列の寸法と同じ大きさの等級の寸法を有する。撮像光学システム１４２は、配列１０３全体がセンサ１４６上へ写像されるようにする大きな視野を持つよう設計してある。一般に、二つの配列は相対的な寸法としてあり、生体マーカのスポットを少なくとも５０画素上で、好ましくは１００画素台の１００ミクロン台のスポット寸法で、或いは３００画素台の３００ミクロンのスポット寸法で解像する。
【００５３】
かかる構成を用いることで、画像１４４の物理的な大きさＤｉは縮減へ向けてバイアスさせた配列１０３の物理的寸法Ｄｏとほぼ同じであり、すなわち、好ましくは、約２５％を超えては拡大せず、また約７５％を超えては縮減しない。現在、相当に低コストの利用可能な部品を用いることで、配列は肥大化せず、好ましくは、３０％〜５０％の範囲内で縮減される。これにより、画像を取得したり複数の小部分の画像を併せ縫合したりして配列１０３の単一画像を形成する上で読み取り器１１０に対する精密段により配列１０３を転移させる必要のないという非常に重要な特徴がもたらされる。
【００５４】
図２Ａを参照するに、好適な実施形態では、照明システム１２０はスポット内の材料（たとえば、Ｃｙ３）の蛍光スペクトルを励起するよう設計された励起帯域内の光（たとえば、緑）を発する高輝度ＬＥＤ１２２を含む。励起フィルタ１２４は、励起波長帯域をさらに制限するのに用いる。光の空間分布は一対のレンズ１２６，１２８等の光学系を用いて形作られ、基板１０２上に二次元配列１０３のほぼ一様な照明をもたらす。より高輝度の照明を提供するには、基板１０２の平面に対し約２０°〜５０°の間の角度θを有する光路沿いに光を放出するようにも配置した、２以上のＬＥＤを配列１０３周りに分布させることもできる。
【００５５】
図２Ｂを参照するに、別の好適な実施形態では、照明システム１２０’は材料の蛍光スペクトルをスポットにて励起するよう設計した励起帯域内で発光する高輝度ＬＥＤ１３２を含む。励起フィルタ１３４は、励起波長帯域をさらに制限すべく用いる。その端部（図示せず）に一体化した適当なレンズ付きの均質化器１３０が、基板１０２上に位置する二次元配列１０３上への照明場全体の光束密度のばらつきを低減する。それは、１００％の内部反射を有するよう適当に設計され、所望の均質化効果をもたらすよう選択した直径対長さをもち、照明分布をより一様に機能させる固体透明ロッドすなわちクラッドである。均質化器１３０は、約４５度の受容角度まで光を受け入れる。均質化器１３０の端部は、基板１０２の平面に対し約２０°〜５０°の間の角度θを有する光路に沿って光を発光する構成としてある。
【００５６】
読み取り器と丁寧に組み合わせて読み取り器の性能を向上させ、様々な重要な文脈において実用的とすることのできる改善が存在する。
【００５７】
少なくとも一つ、好ましくは、各配列内のエネルギ較正スポットの分布を用い、配列のスポットに関する検出輝度は画像処理期間中にそばに横たわる較正スポットから受け取る放射検出値に対し正規化し、かくして低コスト照明システムで生ずることのある放射内の非一様性公差を可能にすることができる。また、技術は、読み取り器の下側の配列の不正確な位置を補償するのにも有効とし得る。図３は、中心軸からの角度の関数としての相対輝度をプロットした一般的な高輝度ＬＥＤが生成する非一様照明パターンを示す。較正スポットに対応する画像内の所定位置にてソリッドステートセンサ配列が記録する蛍光の輝度は、局部照明輝度の推定に用いられ、この輝度がセンサ配列上の隣接スポットにて記録した信号レベルを正規化するのに用いられる。一般に、未知の輝度のスポットの異なる集合に対し、それぞれ局部的である異なる較正スポットが用いられる。
【００５８】
較正点は、好ましくは正確な相対配置用の生体的スポットの配列と共に基板上に配置する。図４Ａは、ピン１６１を浸漬して基板１０２、たとえば、揮発性溶剤中に溶解させたポリイミド高分子（Ｋａｐｔｏｎ（商標））にスポット化する組成を受け入れる蛍光較正組成を含む微細井戸プレートの井戸を表わす。図４Ｂは、図４Ａの組成を生成する蛍光較正スポット１６４のパターンがその間にある生体的スポット１６６のスポット化配列１０３を概略示すものである。図４Ｃは、生体的スポット１６６に加え、蛍光輝度較正スポット１６４を含む基板１０２の一部の拡大図である。図４Ｄは、較正スポット１６４の相対的配置を示す生体的スポット１６６の配列１０３を寸法拡大した概略平面図である。この装置は、配列全体１０３上での輝度のばらつきの正規化を可能にする。同じ輝度較正スポットが配列を配置する空間的基準として用いることもでき、あるいは配置の全体的外形を用いてそれを制御システムへ配置するのに用いることもできる。
【００５９】
大寸法のスポット、すなわち、ソリッドステート配列上のそれらの妥当な寸法の画像を利用することで、拡大は一切ないが、別の改善策は不規則ノイズを平均化するのに役立つソリッドステート配列画像内の画素のビニングである。このように供給される、従来のＣＣＤのオンボードビニング能力を用い、読み取り精度を高める。図５は、ほぼ２９１画素の配列内の特徴の解像を可能にすることに対応するスポット２０２の画像境界近傍のＣＣＤの一部を示す。
【００６０】
他の重要な改善には、自動蛍光捕捉（すなわち、配列の特徴内の蛍光材料以外の光源か
ら集光した蛍光）を低減する基板とその支持体の特別な特徴および特性を用意する必要がある。図６は、好適な基板１０２の重要な態様を示す。材料の極薄層３０２（たとえば、約５ミクロンよりも薄く、好ましくは、３ミクロン未満）は、たとえば、ニトロセルロースまたはポリスチレンから成る。フィルムとしてそれは透明であり、ただし、他の場合は極薄多孔質ニトロセルロース膜を用いることもできる。基板が、特徴の配列１０３を支持する。その存在が極薄であるため、それは基板層３０２自体が発する蛍光量を制限する。
【００６１】
スパッタリングした金属酸化物等の不透明層３０４は照明光３００が内部へ浸透するのを阻止し、下側（たとえば、ガラス製顕微鏡スライドからなる基板）の剛性支持体３０６内で蛍光を刺激するのに役立つ。このことが、大開口数光学系を使用しないことに起因する大きな焦点深度が引き起こす支持体層３０６からの潜在的な自動蛍光捕捉に対抗するのに役立つ。
【００６２】
配列読み取り器１１０は、蛍光タグ付きや蛍光タグあるいは発光タグ付きの他の生体材料付きの標識化蛋白質の撮像等の他の潜在的な広範な用途だけでなく、蛍光標識付き蛋白質の配列の撮像も可能である。配列読み取り器１１０は、ウイルスやペプチドや抗体や受容体や他の蛋白質と共に、また植物や動物や人間や菌類やバクテリア細胞を含む他の広範な標識付き生体材料と共に、また標識付き化学製品とも共に効果的に用いることができる。配列読み取り器１１０は、一般には、１０００スポット未満で臨床医向けの大きさの寸法の免疫分析配列の迅速な撮像用に設計する。
【００６３】
また、配列読み取り器１１０は、複数の生体マーカ（例えば、卵巣癌）の免疫分析を同時に実施することもできる。血液あるいは他の人体構成要素内の既知の蛋白質生体マーカ群を用い、疾患はかくしてより簡単に診断することができる。基板上に二次元スポット配列試薬を供給した後、蛍光体標識付き血液或いは疾患を患っている疑いのある個体から採取した他の人体構成要素に試薬スポットをさらす。得られるスポット配列を、そこで配列読み取り器１１０により読み取る。
【００６４】
図７Ａを参照するに、ここでの好適な実施形態では、元々は交通信号灯用に設計された光源を用い、二つの発光サブシステムを配列位置周りの直径両端に配設する。配列読み取り器４００は、Ｃｙ３励起用の緑色ピーク波長をもったルミレッド（ＬｕｍｉＬｅｄ）高輝度ＬＥＤ４０２（カリフォルニア州サンノゼ市米国ルミレッド・ライティング社（Ｌｕｍｉｌｅｄｓ  Ｌｉｇｈｔｉｎｇ  Ｕ．Ｓ．，ＬＬＣ）から入手可能なＬｕｘｅｏｎ緑色５３５ｎｍ、５ワットＬＥＤ、品番＃ＬＸＨＬ−ＬＭ５Ｃ）や、Ｃｙ５励起用のピーク波長をもった第２のルミレッド高輝度ＬＥＤ４０４（Ｌｕｘｅｏｎ赤橙色６１７ｎｍ、１ワットＬＥＤ、品番＃ＬＸＨ−ＭＨ１Ｂ）を含む。両ＬＥＤは、ほぼ０．０４ｎｍ／℃の低温度係数と、Ｃｙ５については８ｎｍ、Ｃｙ３については３０ｎｍの狭帯域ピーク波長公差を有する。これらのＬＥＤは、１０％〜２０％の変換効率と、低デューティサイクルでの第２用に５０％ピークを持たせ、約１５０ｍＷをもたらすことのできる通常仕様の１１０ｍＷ連続波でもって利用可能であり、ほぼ全てがＣｙ３の励起フィルタ４０６の通過帯域内にあり（バーモント州ロッキンガム市のクロマ・テクノロジーズ（Ｃｈｒｏｍａ  Ｔｅｃｈｎｏｌｏｇｉｅｓ）から入手可能なクロマフィルタ品番＃ＨＱ５３５／５０）と、Ｃｙ５励起フィルタ４０８（クロマフィルタ品番＃ＨＱ６２０／６０）である。ｆ／１円錐（図３に示した照明パターン中の３０°の線１５０で表記）は、２１．５％の光、すなわち６４．５ｍＷを含む（より大きい捕捉が図２Ｂの均質化器の受容角度４５度でもって可能である）。しかしながら、ｆ／１円錐内の全ての光がより高い角度でのフレネル反射が故にｆ／１レンズを介して転送はしない。適当な濾波と口径食を用いることで、赤色ＬＥＤ４０４用の２０％の空間輝度に満たない直径１０ｍｍの丸型ビーム１０内に５０ｍＷ（ほぼ３３％の転送効率）を予想するのが安全である。ビームを４５°傾斜させることで、所望の６．５×９．５ｍｍ2の面積を囲む楕円全体に光を拡散させ、これにより電力密度は約４５ｍＷ／ｃｍ2となる。０．５秒で、それは２２．５ｍＪ／ｃｍ2のフルエンスをもたらす。比較するに、レーザ共焦点顕微鏡の励起エネルギはほぼ７．５マイクロ秒に亙り１０ミクロンの直径ごとに約５ｍＷであり、４８ｍＪ／ｃｍ2のフルエンスをもたらす。同様の性能が、Ｃｙ３に対し、ピーク吸収を有する緑色ＬＥＤ４０２について得られる。高電力とコスト効率に加え、ＬＥＤは長寿命を有しており、多色蛍光体の簡単な実装が可能である。緑色ＬＥＤ４０２は一対のケーラーレンズ４１２を用い、赤橙色ＬＥＤ４０４は一対のケーラーレンズ４１４を用い、これにより両ＬＥＤは配列１０３の視野６．５×９．５ｍｍ2に亙りほぼ一様なビームを給送する。ＬＥＤは、それらの供給元から入手可能なヒートシンク上に載置する。
【００６５】
読み取り器の視野軸に対する基板１０２の位置決めは、ポジショナ１０５、たとえば、約０．１〜０．２ｍｍの位置決め精度を有する０．１または０．２ｍｍの空間解像度をもった、たとえば、ゼネバ歯車によってなされる。ポジショナ１０５は、同一のあるいは異なる基板のいずれにも一つの配列撮像から別の配列撮像へ自動的に遷移させるのに用いることができるが、無論のこと顕微鏡ステージの精度やコストではなく、配列画像の構成要素の生成には一切役割を果さない。同じ基板は互いに配列を正確に位置決めする必要なく多くの配列を担持することができ、ポジショナ１０５は、撮像用の位置へ次から次へ移動するよう機能する。好ましくは、基板は、位置合わせマーク、すなわち、たとえば、矩形配列の角部を指定する目立つマーク群を位置決めするのに役立つ「起点」を有する。
【００６６】
配列１０３は、一対の商用ＣＣＤレンズ組立体４２２，４２２’（ニューヨーク州ペンフィールド市のウェステック光学社（Ｗｅｓｔｅｃｈ  Ｏｐｔｉｃａｌ  Ｃｏｒｐｏｒａｔｉｏｎ）から入手可能なウェステック（Ｗｅｓｔｅｃｈ）ＣＣＤレンズ組立体品番＃２１０５と＃２１３１）によりＣＣＤセンサ４２０上へ結像し、レンズ４２２はその元々の設計目的に対し特異な方法で使用される。二つのレンズの中間に位置する帯域通過フィルタ４２４（Ｃｙ５用クロマテクノロジー部品＃６８０３０、Ｃｙ３用クロマ部品＃５７０３０）が、励起蛍光スペクトル内の光だけを選択的に送光する。一つの視野６．５×９．５ｍｍ2の画像（図８の５０２参照）が、０．７０７倍に縮減されたＣＣＤセンサ４２０上に投射されるが、矩形４．５０×１３．５ｍｍ内に横たわる二つの分離された小配列の画像は０．５倍に縮減される。
【００６７】
レンズは、被写体側（配列１０３に対向）の０．４２ＮＡでもって動作するよう組み立ててある。配列１０３は、０．５２と同程度の大きさのＮＡをもって動作するよう組み立てたレンズ組立体４２２付きのＣＣＤセンサ４２０上に結像させることができる。
【００６８】
ＣＣＤセンサ４２０は、暗電流ノイズを減らすべくペルティエ冷却器４２６（カリフォルニア州サンタバーバラ市のサンタバーバラ計器グループ社（Ｓａｎｔａ  Ｂａｒｂａｒａ  Ｉｎｓｔｒｕｍｅｎｔ  Ｇｒｏｕｐ，Ｉｎｃ．）からのＣＣＤを利用するカメラ型番ＳＴ−７ｘＭＥ）を用いて冷却する。冷却器４２６は、必要に応じて環境よりも４２０〜５０℃低くＣＣＤセンサを冷却する能力を有する。有利な冷却にも拘わらず、画素内に蓄積された電荷の電圧への変換時に生成した読み取りノイズは優勢なノイズ源であり、その影響が除外されない限り、読み取りノイズは、検出することのできる最低光輝度を決定する。このノイズはランダムであり、スポットからの蛍光はそうではないため、その大半の影響は、「オンボードビニング」や暗視野減算や時間およびフレーム積算やソフトウェア分析や各スポットを撮像する多数の画素の使用により低減させることができる。
【００６９】
図７Ｂを参照するに、暗視野モード内での撮像は、図示の角度θでの直接照明と基板から距離ｈだけ離間させた集光光学系２７を介して配列平面に直角の軸Ａに沿う配列を視認するよう配置したＣＣＤセンサ２４とを用いて達成することもできる。この場合、基板層は一部あるいはその深さ全体に微細多孔質とする、または固体フィルムもしくは修正固体フィルムとすることができ、好ましくは、これらのいずれの場合も、５ミクロンの肉厚未満の極薄被覆又は薄膜とすることができる。図示の如く、直接照明光が配列平面に対し鋭角θで照明軸Ａ’に沿って入射する。角度θが、約２０°〜５０°の範囲、ここでは４５°で図示した状態で、距離ｈは、この種の照明を可能にするよう選択しなければならない。配列の蛍光体タグを励起するよう選択した波長の光源１１２ａ，１１２ｂ，または１１２ｃに由来する光Ｌは、ダイクロイックミラー１５６ｂ，１５６ｃを介して角度θで軸Ａ’に沿って照明を導く側に位置するミラー１１６へ、極薄基板２０又は２０’上に在る蛍光体タグ付きスポット配列上へ向かう。スポットの配列は、支持本体上に極薄基板層を有する担体か、透明本体が担持する透明層の形をなす担体を使用することができ、画像収集記録システムは、透明本体と配列と同じ側に透明本体を越えて横たわっている。蛍光発光は、選択されたフィルタ２８Ａ，２８Ｂ，または２８Ｃを介してレンズ２７により集光され、そこで、コンピュータ３２の制御下でレンズ２６を介してＣＣＤカメラ２４へ入射する。これまでの如く、背景減算技法を本システムと共に用いる。励起ソースと図７Ａのそれとの違いは、臨床の最もコスト要求の厳しい状況に逆行する相当のコストに至るが、図７Ｂの照明システムの構造と異なる能力が他の説明済み便益を享受する利点を有することができる。
【００７０】
有利な設計では、免疫分析配列は４００個の微細分析スポットに限定される。配列形式が、そこでは重要な設計課題となる。ＣＣＤチップの画素の寸法と数および商用スポット化配列の構成が、読み取り器と配列の設計では互いに調和させるべき重要な制約となる。配列寸法は、ＣＣＤパラメータに整合させねばならない。他方、スポット形成ピンやチップ構成がスポット形成あるいは印刷ヘッドをソース材料へロードする貯槽の選択を制限し、また可能な配列構成もまた制限する。９６個のまたは３８４個の使い捨て型のマイクロタイタ板が、使用する一般的な貯槽である。これらの制約は、図８に図式的に示した二つの形式が満足するものである。
【００７１】
幾何学的公差を考慮することで、第１形式５０２の視野が一つの６．５×９．５ｍｍ2の配列を覆い、第２形式５０４の視野が、二つの４．５×４．５ｍｍ2の配列を覆っている。３００ミクロン直径のスポット、中央では５００ミクロン、スポット占有率が３６％、を想定するに、各スポットが約２９１個の画素と接合されよう。１５０ミクロン直径のスポット、中央では３３３ミクロン、を想定するに、各スポットは約９１個の画素と接合されよう。スポットごとの大量の数の画素により、ＣＣＤセンサにとって利用可能なオンボード３×３ビニング選択肢がもたらされ、信号対ノイズ比が増大する。中間の背景は同一の平均化にさらされ、高感度で信頼に足る蛍光信号レベルをもたらす。配列は、二つのスポット寸法のいずれかを用いて各形式をもって形成することができる。これらの配列は、ソース材料装荷貯槽として９６個か３８４個のいずれかのマイクロタイタ板から始め、アフィメトリックス・ピン（Ａｆｆｙｍｅｔｒｉｘ  Ｐｉｎ）やリング・アレイヤー（Ｒｉｎｇ  Ａｒｒａｙｅｒ）等のあらゆる商用配列器／プリンタを用いて印刷することができる。
【００７２】
他の方法は、信号対ノイズ比を改善して画像の品質を最良に規定するのに役立つ。より長い積分時間すなわち静止配列の複数取得和は、ＣＣＤの飽和を回避するのに役立つ。信号対ノイズ比は、積分時間比の平方根あるいはフレーム数として改善される。０．５秒対５秒の読み取り時間が、信号対ノイズ比をほぼ３．１６倍改善する。
【００７３】
信号対ノイズ比はＬＥＤの数を、たとえば、２波長のそれぞれについて４程度へ増やし、電力レベルを１６０ｍＷ／ｃｍ2へ高めることでも増大させることができる。併せ適用することにより、これらの選択肢はフルエンスを約１，１２０ｍＪ／ｃｍ2へ高めることで１３倍ほどに信号対ノイズ比を増大させる。写真退色、すなわち、起き得る結果は、色素等に応じて特定の環境内でのこの手法を制限することがある。
【００７４】
代替実施形態は、他種の基板を用いることができる。たとえば、基板は、ガラス製スライドとすることもでき、また基板内の透明窓を介して撮像を行なう封止された使い捨て可能な生体カセットとすることもできる。
【００７５】
図９を参照するに、複数生体マーカ分析方法は、基板上のアミノ酸或いは核酸の特徴の二次元スポット化配列を配設するステップ６００を含み、配列全体の特徴は光感応マーカを担持している。第２のステップ６０２では、配列読み取り器の照明光源が基板平面に対しほぼ２０°〜５０°の間の角度θで照明路に沿って配列を照明する。第３のステップ６０３では、画像収集記録システムはそこで基板に対しほぼ直角をなす画像取得軸に沿って励起蛍光を集光し、これにＣＣＤセンサのソリッド配列上の生体材料スポットの配列の画像の記録ステップ６０４が続き、これに輝度較正マーカを用いて記録画像内の画素の輝度レベルを正規化するステップ６０６が続く。
【００７６】
この較正が各配列の撮像における統合機能として発生することに、留意されたい。機器全体の事前読み取り較正を通常ではあるが、全体的に効果的な手続きではないと識別すべきである。
【００７７】
図１０を参照するに、記録された画像内の画素の輝度レベルを正規化する方法は、配列１００２の角部に配置された位置較正スポットからの蛍光を検出する画素を判定するステップ１００４を含む。得られた位置情報は、そこで、二次元画像全体に複数「データ群」に対応する画素を配置するのに用いる。各データ群は、生体スポットに対応する画素を含み、画素は輝度較正スポットに対応する。「データ群ｎ」を含む各データ群にとって、本方法は、輝度較正スポットｎを表わす画素により記録された輝度を検出するステップ１００６と、データ集合ｎ内の各生体スポットを表わす画素により記録された輝度を検出するステップ１００８と、輝度較正スポットの輝度を用い各生体スポットごとに輝度データを正規化するステップ１０１０と、を含む。最終ステップ１０１２において各データ群について輝度データを正規化した後、画像全体を全データ集合に対する正規化データに従って表わす。
【００７８】
図１１を参照するに、血液あるいは他の人体構成要素内の既知の蛋白質生体マーカ群が存在する疾患用の蛍光読み取り器を利用する診断方法は、基板上に異なる試薬の二次元配列を配設するステップ１１０２を含む。試薬は、疾患を診断することのできる一組の生体マーカからなる部材を束ねるのにそれぞれ特有のものである。本方法はそこで、個体の血液又は人体構成要素内に存在する場合に生体マーカを含む個体の蛍光体標識化血液あるいは人体構成要素の摘出物に対し配列を露光させる第２のステップ１１０４を含む。配列を静止させたまま、第３のステップ１１０６において読み取り器は蛍光体励起波長の光により二次元配列全体を同時に照明することで配列を励起し、暗視野照明を使用する。第４のステップ１１０８では、読み取り器は、そこでソリッドステート配列からなる撮像器の単一フレーム上の二次元励起配列全体の蛍光画像を捕捉する。本方法は、そこで疾患の存在に対する蛍光画像の分析からなるステップ１１１０を含む。
【００７９】
好適な実施形態では、分析は血液から採取した蛋白質に基づく診断免疫分析であり、卵巣癌等の悪性癌を検出或いは監視し、初期診断したり、あるいは再発の危険のある患者を監視することができる。最近十年では、単独でのあるいはＣａ１２５との組み合わせでの生体マーカに対する探索が、多数の候補を生み出す卵巣癌用の予後の試験を改善することが有り得る。しかしながら、１９９５年に、ベレク（Ｂｅｒｅｋ）とバスト（Ｂａｓｔ）が１７個の異なるマーカ（ＣＡ１２５を含む）上のデータを見直し、早期段階の卵巣癌の設定にどれも有効でないと結論付けた（１）。しかしながら、他の腫瘍マーカがＣＡ１２５を補完することができ、一部の環境で役立つことは示されてきた（２）。
【００８０】
近年では、ゲノム技術は予後の卵巣癌生体マーカの探索における進歩を劇的に加速してきた。卵巣癌細胞線の差分ＤＮＡ転写プロファイリングを使用した研究と卵巣上皮からの研究が、数百の候補生体マーカを集合的に特定した（たとえば、３，４，５）。これらの新規な候補蛋白質生体マーカは、調査試行において評価されてきた。研究された候補生体マーカ蛋白質には、ＨＥ４（６）とオステオポンチン（ｏｓｔｅｏｐｏｎｔｉｎ）（７）、プロスタシン（ｐｒｏｓｔａｓｉｎ）（４，５）、メソテリン（ｍｅｓｏｔｈｅｌｉｎ）／巨大核細胞強化因子（８）が含まれる。最近の報告も、カリクレインセリンプロテアーゼ系の要素、特に、カリクレイン１０が血液中の卵巣癌生体マーカとしても役立つことがあることを示唆している（９，１０，１１）。調査研究からの成果は、これらの蛋白質を、単独でまたはＣＡ１２５等の他のマーカと組み合わせ卵巣癌の予後インジケータとして役立たせることができることを助長し示唆している。
【００８１】
血液中の多数の生体マーカのパターンが早期段階の卵巣癌のシグナルを供給する直接的な証拠が存在する。質量分光（ＳＥＬＤＩ−ＴＯＦ）により卵巣癌患者と健常個体の血清から生成されて反復探索アルゴリズムにより分析した蛋白質スペクトルは、未だ特定されていない５個の蛋白質プロファイルを特定し、この蛋白質が卵巣癌患者の血清を完全に識別した（１２）。目隠し試料の試験では、特殊パターンが初期段階の患者から３６％を含む卵巣癌試料の１００％を正確に特定し、９５％の特性（偽陽性率）を示した（１２）。
【００８２】
蛋白質パターン技術の陽性予測値が母集団を母体とする治験でサポートされている場合、これらの識別蛋白質は高感度の診断プローブ（１３）を発展させる秀逸な機会をもたらし、このプローブは所与の適切な技術プラットフォームを与えられたときに、早期段階の卵巣癌の発見に向けた常套的試験に最終的に活かされる。
【００８３】
引用した参考文献は、以下の通りである。
１．  Ｂｅｒｅｋ，ＪＳ，ＲＣ  Ｂａｓｔ著、１９９５年、「卵巣癌のスクリーニング  早期発見に向け感度と特性を改善した連続相補型腫瘍マーカの使用法」、Ｃａｎｃｅｒ７６  ２０９２−０６0000
２．  Ｗｏｏｌａｓ，ＲＰ，ＤＨ  Ｏｒａｎ，ＡＲ  Ｊｅｙａｒａｊａｈ，ＲＣ  Ｂａｓｔ，ＪＪ  Ｊａｃｏｂｓ著、１９９９年、「骨盤撮像ではなく血清マーカを用いたスクリーニングを介して識別される卵巣癌」、１９９９．Ｉｎｔ．Ｊ．Ｇｙｎｅｃｏｌ９：４９７−５０１
３．  Ｓｃｈｕｍｍｅｒ，Ｍ，ＷＶ  Ｎｇ，ＲＥ  Ｂａｕｍｇａｒｎｅｒ，ＰＳ  Ｎｅｌｓｏｎ，Ｂ  Ｓｃｈｕｍｍｅｒ，ＤＷ  Ｂｅｄｎａｒｓｋｉ，Ｌ  Ｈａｓｓｅｌｌ，ＢＹ  Ｂａｌｄｗｉｎ，Ｌ．Ｈｏｏｄ著、１９９９年、「卵巣癌に過剰発現する遺伝子の発見に向けた２１，５００個の卵巣のｃＤＮＡｓの配列の比較混成形成」、Ｇｅｎｅ２３８：３７５−３８５
４．  Ｋｗｏｎｇ−Ｋｗｏｋ，Ｗ，ＲＳ  Ｃｈｅｎｇ，ＳＣ  Ｍｏｋ著、２００１年、「ＭＩＣＲＯＭＡＸＴＭｃＤＮＡ微細配列システムによる卵巣癌細胞から差分的に発現させた遺伝子の識別」、２００１．Ｂｉｏｔｅｃｈｎｉｑｕｅｓ３０（３）：６７０−６７４
５．  Ｍｏｋ，Ｓ，Ｊ  Ｃｈａｏ，Ｓ  Ｓｋａｔｅｓ，Ｋ−Ｋ  Ｗｏｎｇ，ＧＫ  Ｙｕ，ＭＧ  Ｍｕｔｏ，ＲＳ  Ｂｅｒｋｏｗｉｔｚ，ＤＷ  Ｃｒａｍｅｒ著、２００１年、「プロスタシン、卵巣癌に関する潜在的血清マーカ：マイクロ配列技術を介する識別」、ＪＮＣＩ９３（１９）：１４５８−１４６４
６．  Ｈｅｌｌｓｔｒｏｍ，Ｉ，Ｊ．Ｒａｙｃａｆｔ，Ｍ  Ｈａｙｄｅｎ−Ｌｅｄｂｅｔｔｅｒ，Ｊ  Ａ  Ｌｅｄｂｅｔｔｅｒ，Ｍ  Ｓｃｈｕｍｍｅｒ，Ｍ  ＭｃＩｎｔｏｓｈ，Ｃ．Ｄｒｅｓｃｈｅｒ，Ｎ  Ｕｒｂａｎ，ＫＥ  Ｈｅｌｌｓｔｒｏｍ著、２００３年、「ＨＥ４（ＷＦＤＣ２）蛋白質は卵巣癌に関する生体マーカである」、癌研究６３；３６９５−３７００
７．  Ｋｉｍ，ＪＨ，ＳＪ  Ｓｋａｔｅｓ，Ｔ  Ｕｄｅ，ＫＫ  Ｗｏｎｇ，ＪＯ  Ｓｃｈｏｒｇｅ，ＣＭ  Ｆｅｌｔｍａｔｅ，ＲＳ  Ｂｅｒｋｏｗｉｔｚ，ＤＷ  Ｃｒａｍｅｒ，ＳＣ  Ｍｏｋ著、２００２年、「卵巣癌の潜在的診断用生体マーカとしてのオステオポンチン」、ＪＡＭＡ２８７（１３）：１６７１−９
８．  Ｓｃｈｏｌｌｅｒ  Ｎ，Ｎ  Ｆｕ，Ｙ  Ｙａｎｇ，Ｚ  Ｙｅ，ＧＥ  Ｇｏｏｄｍａｎ，ＫＥ  Ｈｅｌｌｓｔｒｏｍ，Ｉ  Ｈｅｌｌｓｔｒｏｍ著、１９９９年、「メソテリン／巨大核細胞強化因子の一又は複数の可溶性材が卵巣癌患者からの血清中に検出可能である」、ＰＮＡＳ  ＵＳＡ９６（２０）：１１５３１−６（Ｌ．Ｈｏｏｄのスクリーニング研究で発見）
９．  Ｓｈｖａｒｔｓｍａｎ，ＨＳ，ＫＨ  Ｌｕ，Ｊ  Ｌｉｌｌｉｅ，ＭＴ  Ｄｅａｖｅｒｓ，Ｓ  Ｃｌｉｆｆｏｒｄ，ＪＩ  Ｗｏｌｆ，ＧＢ  Ｍｉｌｌｓ，ＲＣ  Ｂａｓｔ，ＤＭ  Ｇｅｒｓｈｅｎｓｏｎ，Ｒ  Ｓｃｈｍａｎｄｔ著、２００３年、「上皮卵巣癌腫のカリクレイン１０発現について」、Ｇｙｎｅｃｏｌ  Ｏｎｃｏｌ９０：４４−５０
１０．  Ｌｕｏ，ＬＹ，Ｄ  Ｋａｔｓａｒｏｓ，Ａ  Ｓｏｒｉｌａｓ，Ｓ  Ｆｒａｃｃｈｉｏｌｏ，Ｒ．Ｒｉｃｃｉｎｎｏ，ＩＡ  Ｒｉｇａｕｌｔ  ｄｅ  ｌａ  Ｌｏｎｇｒｉｓ，ＤＪＣ  Ｈｏｗａｒｔｈ，ＥＰ  Ｄｉａｍａｎｄｉｓ著、２００１年、「上皮卵巣癌のヒト・カリクレイン１０発現の予後的価値」、Ｃｌｉｎ  Ｃａｎ  Ｒｅｓ７：２３１７−２３７９
１１．  Ｌｕｏ，ＬＹ，Ｄ  Ｋａｔｓａｒｏｓ，Ａ  Ｓｃｏｒｉａｌａｓ，Ｓ  Ｆｒａｃｃｈｉｏｌｉ，Ｒ  Ｂｅｌｌｉｎｏ，Ｍ  ｖａｎ  Ｇｒａｍｂｅｒｅｎ，Ｈ  ｄｅ  Ｂｒｕｉｊｎ，Ａ．Ｈｅｎｒｉｋ，ＵＨ  Ｓｔｅｎｍａｎ，Ｍ  Ｍａｓｓｏｂｒｉｏ，ＡＧ  ｖａｎ  ｄｅｒ  Ｚｅｅ，Ｉ  Ｖｅｒｇｏｔｅ，ＥＰ  Ｄｉａｍａｎｄｉｓ著、２００３年、「血清予後」、Ｃａｎｃｅｒ  Ｒｅｓ６３：８０７−１１
１２．  Ｐｅｔｒｉｃｏｉｎ，ＥＦ，ＡＭ  Ａｒｄｅｋａｎｉ，ＢＡ  Ｈｉｔｔ，ＰＪ  Ｌｅｖｉｎｅ，ＶＡ  Ｆｕｓａｒｏ，ＭＡ  Ｓｔｅｉｎｂｅｒｇ，ＧＢ  Ｍｉｌｌｓ，Ｃ  Ｓｉｍｏｎｅ，ＤＡ  Ｆｉｓｈｍａｎ，ＥＣ  Ｋｏｈｎ，ＬＡ  Ｌｉｏｔｔａ著、２００２年、「卵巣癌を識別する血清における蛋白パターンの使用」、Ｌａｎｃｅｔ１６：３５９（９３０６）；５７２−７７
１３．  Ｗｕｌｆｋｕｈｌｅ，ＪＤ，ＬＡ  Ｌｉｏｔｔａ，ＥＦ  Ｐｅｔｒｉｃｏｉｎ著、２００３年、「癌の早期発見へ向けたプロテオミック応用」、Ｎａｔｕｒｅ  Ｒｅｖｉｅｗｓ  Ｃａｎｃｅｒ３：２６７−７５
【００８４】
主題（１）暗視野照明内での極薄基板層の特性の使用、一般に、特にニトロセルロースとポリスチレンとそれらの製造方法および用途におけるスポット配列の大きさの等級の大きさのセンサのソリッドステート配列上での撮像、（２）操作を改善したり臨床蛍光読み取り器を実用的とするのに役立つ励起光を吸収する基板下側の金属酸化物と他の吸収層と、（３）特に高輝度発光ダイオード或いは照明を励起するダイオード配列を用いるものにおける蛍光読み取り器の操作を改善するのに役立つ微細配列内での輝度較正マークの形成及び活用に関するさらなる開示については、２００３年６月６日出願の米国仮特許出願第６０／４７６，５１２号から同様に優先権を主張する本願と同時出願されたさらなるＰＣＴ出願を参照されたい。
【００８５】
本発明の他の特徴及び効果は、前記及び請求項から理解されるが、本発明の趣旨ならびに範囲内にある。
【図面の簡単な説明】
【００８６】
【図１】配列読み取りシステムの線図である。
【図２Ａ】読み取り器用の照明装置の概略図である。
【図２Ｂ】読み取り器用の照明装置の概略図である。
【図３】高輝度ＬＥＤ用中心軸に対しなす角度に対する照明の相対輝度のプロットを示す図である。
【図４Ａ】図４Ａは生体材料のスポットすなわち輝度較正スポットの形成に適したスポット形成ピンと貯槽を示す図である。
【図４Ｂ】図４Ｂは較正スポットを生体材料のスポットの配列を介して戦略的に分散させた配列を表わす図である。
【図４Ｃ】図４Ｃは図４Ｂの拡大図である。
【図４Ｄ】図４Ｄは、図４Ｂの平面図である。
【図５】センサのソリッドステート検出要素配列上へのスポットの写像を示す図である。
【図６】不透明層と極薄基板と基板上の配列スポットを抱える透明剛性支持本体を備える担体を高倍率尺度で表わす線図で、配列と同じ側からの照明が図示してある。
【図７Ａ】図７Ａは好適な臨床配列読み取り器を表わす線図である。
【図７Ｂ】図７Ｂは別の臨床配列読み取り器を示す図である。
【図８】図７Ａの配列読み取り器により撮像可能な二つの配列規格を示す図である。
【図９】配列読み取り方法のステップを表わす線図である。
【図１０】記録された画像の画素の輝度レベルを正規化する方法のステップを表わす線図である。
【図１１】蛍光読み取り器を利用する診断方法のステップを示す線図である。
【図１】
2006515065.tif 000002
2006515065.tif 000003
2006515065.tif 000004
【図５】
2006515065.tif 000005
【図６】
2006515065.tif 000006
2006515065.tif 000007
【図８】
2006515065.tif 000008
【図３】
2006515065.tif 000009
【図７Ｂ】
2006515065.tif 000010
【図９】
2006515065.tif 000011
【図１０】
2006515065.tif 000012
【図１１】
2006515065.tif 000013
【国際調査報告】
2006515065.tif 000014
2006515065.tif 000015
2006515065.tif 000016